(57)【特許請求の範囲】
【請求項１】
無端状に形成された左右一対のリンクチェーンと、この左右一対のリンクチェーン間に連続配置されたエプロンパンとからなるエプロンコンベアであって、
前記エプロンパンは、その進行方向に直交する横断方向の進行側を幅広で、この進行方向に直交する横断方向の後退側を幅狭とし、また、この進行側には、幅広の膨出曲面板部を、この後退側には、幅狭の膨出曲面板部を、それぞれ形成し、この両膨出曲面板部には、平板部を介設し、この平板部の真中には、前記横断方向の両端部に到る膨出山形板部を形成する構成とし、
前記エプロンパンの前記横断方向の両端部に設けた側板の下面は、前記エプロンパンを構成する前記両膨出曲面板部、及び前記平板部、並びに前記膨出山形板部の下面と相似形とする構成とし、
この平板部と、前記一対のリンクチェーンの各チェーンリンク体と、この一対のチェーンリンク体を支持する枠体とを、止め具を介して固定する構成としたエプロンコンベア。
【請求項２】
請求項１に記載のエプロンコンベアであって、
前記エプロンパンの両端部に設けた側板間の間隔は、その進行方向に直交する横断方向の進行側が幅広で、この進行方向に直交する横断方向の後退側が幅狭とし、この幅広の側板の内側に、幅狭の側板の外側が、進入する構成としたエプロンコンベア。
【請求項３】
請求項１に記載のエプロンコンベアであって、
前記エプロンパンの側板と、リンクチェーンのチェーンリンク体か、この対のチェーンリンク体を支持する枠体との間に、前記膨出山形板部と相似形の山形空間部を形成する構成としたエプロンコンベア。
【請求項４】
請求項１に記載のエプロンコンベアであって、
前記側板の下端は、前記エプロンパンの側面端部と、相似形とする構成としたエプロンコンベア。
【請求項５】
請求項１に記載のエプロンコンベアであって、
前記止め具は、前記一組のチェーンリンク体の外側箇所と、内側箇所とに設ける構造であり、この外側箇所の止め具は、この一組のチェーンリンク体を構成する一方の外側に延設した一方の外側のフランジ部と、前記エプロンパンの下側に添接した枠体の端部とに設け、また、この内側箇所の止め具は、この一組のチェーンリンク体を構成する他方の外側に延設した他方の外側のフランジ部と、前記エプロンパンの下側に添接した枠体の内部とに設け、この複数の止め具を介して、このエプロンパンと、枠体の端部及び内部、並びに一組のチェーンリンク体を緊締固止する構成としたエプロンコンベア。
【発明の詳細な説明】
【技術分野】
【０００１】
本発明は、エプロンコンベアに関する。
【背景技術】
【０００２】
高熱鋳造（鋳物鋳造、アルミ鋳造と、その堰、湯道等の廃材、その不良品等）、また、その他の重量物の搬送用としての大型のエプロンコンベアと、又は切粉等の搬送用としての小型のエプロンコンベアとが知られている。この中で、大型のエプロンコンベアには、前記重量物の落下と、その荷重に対して、このエプロンパンが衝撃を受け、その一部に凹みや、損傷が発生する。このような被害防止と、剛性確保に対し、種々の工夫がされている。例えば、このエプロンパンの下側に、チャンネル板、平板を敷設し、このエプロンパンに対する剛性確保を図る手段（構造）が採用されている。しかし、この構造は、エプロンコンベアの剛性は確保できるが、このエプロンパンに発生する凹凸、損傷は解消できないことから、重量物の搬送に障害となること、修理頻度が拡大すること、体裁が悪いこと、等の問題がある。また、このように、エプロンパンの下側に、チャンネル板、平板を敷設する構造は、製作及び設置に手間が掛かること、エプロンコンベアの重量及び経費が増大すること、等の改良点がある。
【０００３】
以上の問題と改良点を解消するための手段を、先行文献から検討するとともに、この先行文献を、以下に説明する。
【０００４】
文献（１）として、特開２００３−２６１２１０の「エプロンコンベアにおけるエプロンパン構造」が挙げられる。この発明では、明細書の［０００８］と図８において、「このエプロンパン４の進行方向に直交する、所謂、エプロンパン４の底板９の左右方向（横断方向）の一部に、隆起部９ａを形成し、横断方向の曲げ力に対する耐久性の向上を図ること意図する」。この発明では、エプロンパン４を、リンク体５の載置部８に、ボルト１３を介して取付けるために、このエプロンパン４の端縁部位まで、この隆起部９ａを形成することは不可能である。従って、横断方向の曲げ力に対する耐久性が低減されること、この端縁部位に対して、前記重量物が落下することで、エプロンパンに発生する凹凸、損傷回避が図れないこと、等の改良点が挙げられる。
【０００５】
また文献（２）としては、実開昭５３−３６２９５の「エプロンコンベヤ」が挙げられる。この考案は、明細書と第３図において、「エプロンコンベヤのプレートを、中空筒体と、この中空筒体間に設けた、前記横断方向において、山形形状に隆起したプレートを設ける構造であり、上方からの耐荷重性や衝撃性に対応することと、このプレートの剛性を確保することを意図する」。この考案は、エプロンコンベヤのプレートを、中空筒体間に設け、かつその横断方向において、山形形状に隆起したことを特徴とする。しかし、この構造の如く、単なる山形形状の連続では、剛性にも限界があること、また、この山形形状の凹部と、山形形状の凸部の連続構造に比し、強度に劣ることから、改良の余地がある。
【０００６】
【特許文献１】特開２００３−２６１２１０
【特許文献２】実開昭５３−３６２９５
【発明の概要】
【発明が解決しようとする課題】
【０００７】
前記文献（１）は、エプロンパンの端縁部位まで、この隆起部を形成する構成でないことから、例えば、横断方向の曲げ力に対する耐久性が低減されること、この端縁部位に対して、重量物が落下することで、エプロンパンに発生する凹凸、損傷回避が図れないこと、等の問題点があり、例えば、大型のエプロンコンベアには不向きと考えられる。
【０００８】
また、前記文献（１）は、単なる山形形状の連続では、剛性にも限界があること、また、この山形形状の凹部と、山形形状の凸部の連続構造に比し、強度に劣ることから、改良の余地が考えられる。
【課題を解決するための手段】
【０００９】
請求項１の発明は、左右のリンクチェーン間に連続配置されたエプロンパンの強度の向上と、大型のエプロンコンベアに最適なエプロンパンの構造を提案すること、等を意図する。また、この請求項１の発明は、前記エプロンパンの剛性の向上を図るために、このエプロンパンの横断方向において、膨出曲面板部間に、平板部を、さらに、この平板部間に、両端部に到る膨出山形板部を形成する構成と、エプロンパンの両端部の側板の側面形状を、両膨出曲面板部、及び平板部、並びに膨出山形板部の側面形状と同じとする構成と、を提案する。さらに、この請求項１の発明は、前記エプロンパンの剛性の向上を図るために、この進行方向に直交する横断方向の進行側を幅広で、また、この進行方向に直交する横断方向の後退側を幅狭であって、かつこの幅広の横断進行側は、幅広で高い膨出曲面板部とするとともに、この幅狭の横断後退側は、幅狭で低い膨出曲面板部とする構成を提案する。
【００１０】
請求項１は、無端状に形成された左右一対のリンクチェーンと、この左右一対のリンクチェーン間に連続配置されたエプロンパンとからなるエプロンコンベアであって、
前記エプロンパンは、その進行方向に直交する横断方向の進行側を幅広で、この進行方向に直交する横断方向の後退側を幅狭とし、また、この進行側には、幅広の膨出曲面板部を、この後退側には、幅狭の膨出曲面板部を、それぞれ形成し、この両膨出曲面板部には、平板部を介設し、この平板部の真中には、前記横断方向の両端部に到る膨出山形板部を形成する構成とし、
前記エプロンパンの前記横断方向の両端部に設けた側板の下面は、前記エプロンパンを構成する前記両膨出曲面板部、及び前記平板部、並びに前記膨出山形板部の下面と相似形とする構成とし、
この平板部と、前記一対のリンクチェーンの各チェーンリンク体と、この一対のチェーンリンク体を支持する枠体とを、止め具を介して固定する構成としたエプロンコンベアである。
【００１１】
請求項２の発明は、請求項１の目的の達成と、この目的達成に有益な、エプロンパン及び側板の構成を提案することを意図する。
【００１２】
請求項２は、請求項１に記載のエプロンコンベアであって、
前記エプロンパンの両端部に設けた側板間の間隔は、その進行方向に直交する横断方向の進行側が幅広で、この進行方向に直交する横断方向の後退側が幅狭とし、この幅広の側板の内側に、幅狭の側板の外側が、進入する構成としたエプロンコンベアである。
【００１３】
請求項３の発明は、請求項１の目的の達成と、この目的達成に有益な、エプロンパンの側板と、リンクチェーンのチェーンリンク体か、この対のチェーンリンク体を支持する枠体の構成を提案することを意図する。
【００１４】
請求項３は、請求項１に記載のエプロンコンベアであって、
前記エプロンパンの側板と、リンクチェーンのチェーンリンク体か、この対のチェーンリンク体を支持する枠体との間に、前記膨出山形板部と相似形の山形空間部を形成する構成としたエプロンコンベアである。
【００１５】
請求項４の発明は、請求項１の目的の達成と、この目的達成に有益な、エプロンパン及び側板の下端の構成を提案することを意図する。
【００１６】
請求項４は、請求項１に記載のエプロンコンベアであって、
前記側板の下端は、前記エプロンパンの側面端部と、相似形とする構成としたエプロンコンベアである。
【００１７】
請求項５の発明は、請求項１の目的の達成と、この目的達成に有益な、エプロンパン及び枠体、並びにチェーンリンク体の構成を提案することを意図する。
【００１８】
請求項５は、請求項１に記載のエプロンコンベアであって、
前記止め具は、前記一組のチェーンリンク体の外側箇所と、内側箇所とに設ける構造であり、この外側箇所の止め具は、この一組のチェーンリンク体を構成する一方の外側に延設した一方の外側のフランジ部と、前記エプロンパンの下側に添接した枠体の端部とに設け、また、この内側箇所の止め具は、この一組のチェーンリンク体を構成する他方の外側に延設した他方の外側のフランジ部と、前記エプロンパンの下側に添接した枠体の内部とに設け、この複数の止め具を介して、このエプロンパンと、枠体の端部及び内部、並びに一組のチェーリンク体を緊締固止する構成としたエプロンコンベア。
【発明の効果】
【００１９】
請求項１の発明は、無端状に形成された左右一対のリンクチェーンと、左右一対のリンクチェーン間に連続配置されたエプロンパンとからなるエプロンコンベアであって、
エプロンパンは、進行方向に直交する横断方向の進行側を幅広で、進行方向に直交する横断方向の後退側を幅狭とし、また、進行側には、幅広の膨出曲面板部を、後退側には、幅狭の膨出曲面板部を、それぞれ形成し、両膨出曲面板部には、平板部を介設し、平板部の真中には、横断方向の両端部に到る膨出山形板部を形成する構成とし、
エプロンパンの横断方向の両端部に設けた側板の下面は、エプロンパンを構成する両膨出曲面板部、及び平板部、並びに膨出山形板部の下面と相似形とする構成とし、
平板部と、一対のリンクチェーンの各チェーンリンク体と、一対のチェーンリンク体を支持する枠体とを、止め具を介して固定する構成としたエプロンコンベアである。
【００２０】
従って、請求項１は、左右のリンクチェーン間に連続配置されたエプロンパンの強度の向上と、大型のエプロンコンベアに最適なエプロンパンの構造を提案できること、等の特徴を有する。また、この請求項１は、前記エプロンパンの剛性の向上を図るために、このエプロンパンの横断方向において、膨出曲面板部間に、平板部を、さらに、この平板部間に、両端部に到る膨出山形板部を形成する構成と、エプロンパンの両端部の側板の側面形状を、両膨出曲面板部、及び平板部、並びに膨出山形板部の側面形状と同じとする構成と、を提案できる実益がある。さらに、この請求項１は、前記エプロンパンの剛性の向上を図るために、この進行方向に直交する横断方向の進行側を幅広で、また、この進行方向に直交する横断方向の後退側を幅狭であって、かつこの幅広の横断進行側は、幅広で高い膨出曲面板部とするとともに、この幅狭の横断後退側は、幅狭で低い膨出曲面板部とする構成を提案できる利点がある。
【００２１】
請求項２の発明は、請求項１に記載のエプロンコンベアであって、
エプロンパンの両端部に設けた側板間の間隔は、進行方向に直交する横断方向の進行側が幅広で、進行方向に直交する横断方向の後退側が幅狭とし、幅広の側板の内側に、幅狭の側板の外側が、進入する構成としたエプロンコンベアである。
【００２２】
従って、請求項２は、請求項１の目的を達成できること、また、この目的達成に有益な、エプロンパン及び側板の構成を提案できること、等の特徴がある。
【００２３】
請求項３の発明は、請求項１に記載のエプロンコンベアであって、
エプロンパンの側板と、リンクチェーンのチェーンリンク体か、対のチェーンリンク体を支持する枠体との間に、膨出山形板部と相似形の山形空間部を形成する構成としたエプロンコンベアである。
【００２４】
従って、請求項３は、請求項１の目的の達成できること、この目的達成に有益な、エプロンパンの側板と、リンクチェーンのチェーンリンク体か、この対のチェーンリンク体を支持する枠体の構成を提案できること、等の特徴がある。
【００２５】
請求項４の発明は、請求項１に記載のエプロンコンベアであって、
側板の下端は、エプロンパンの側面端部と、相似形とする構成としたエプロンコンベアである。
【００２６】
従って、請求項４は、請求項１の目的の達成できること、この目的達成に有益な、エプロンパン及び側板の下端の構成を提案できること、等の特徴がある。
【００２７】
請求項５の発明は、請求項１に記載のエプロンコンベアであって、
止め具は、一組のチェーンリンク体の外側箇所と、内側箇所とに設ける構造であり、外側箇所の止め具は、一組のチェーンリンク体を構成する一方の外側に延設した一方の外側のフランジ部と、エプロンパンの下側に添接した枠体の端部とに設け、また、内側箇所の止め具は、一組のチェーンリンク体を構成する他方の外側に延設した他方の外側のフランジ部と、エプロンパンの下側に添接した枠体の内部とに設け、複数の止め具を介して、エプロンパンと、枠体の端部及び内部、並びに一組のチェーリンク体を緊締固止する構成としたエプロンコンベア。
【００２８】
従って、請求項５は、請求項１の目的の達成できること、この目的達成に有益な、エプロンパン及び枠体、並びにチェーンリンク体の構成を提案できること、等の特徴がある。
【図面の簡単な説明】
【００２９】
【図１】エプロンコンベアの一部欠截の平面図
【図２】エプロンコンベアの側面図
【図３】エプロンコンベアの搬送工程の前進状態の一部欠截の正面図
【図４】エプロンコンベアの搬送工程の後退状態の一部欠截の正面図
【図５−１】エプロンパン加工機（油圧ベンダー）での加工手順位置を示しており、膨出曲面板部を折り曲げ加工する状態の拡大側面模式図
【図５−２】図５−１の加工に続いて、エプロンパン加工機での加工手順位置を示しており、膨出山形板部を折り曲げ加工する状態の拡大側面模式図
【図５−３】図５−２の加工に続いて、エプロンパン加工機での加工手順位置を示しており、膨出曲面板部を折り曲げ加工する状態の拡大側面模式図
【図６】エプロンパン加工機の一例を示した縮尺側面概念図
【発明を実施するための形態】
【００３０】
以下、本発明の好ましい位置実施例を説明すると、１は無端状に形成された左右一対のリンクチェーンで（原則として、単独「一方」で説明する）、この対のリンクチェーン１は、一組のガイドローラ２、２（原則として、単独で説明する。以下、同じ）と、この一組（一方と他方）のガイドローラ２の両側面を設けた一組のチェーンリンク体３、３とで構成する。そして、この一組のガイドローラ２の両側には、一組のチェーンリンク体３が設けられるとともに、この一組のチェーンリンク体３より差込んだ軸４を介して、この一組のガイドローラ２は、一組のチェーンリンク体３に回転自在に軸支される構造である。また、図示の如く、対のチェーンリンク体３の上下に、このガイドローラ２の外周面２ａが設けられる。
【００３１】
この対のチェーンリンク体３は、枠体６の左右端部６ａ、６ａと内部６ｂ、６ｂに設けられる構造であり、この例では、一組の一方のチェーンリンク体３を構成する一方３００の外側に延設した一方の外側のフランジ部３ａを延設し、また、一組の他方のチェーンリンク体３を構成する他方３０１の外側に延設した他方の外側のフランジ部３ｂを延設する。そして、この他方のチェーンリンク体３を構成する他方３０１の外側に延設した一方の外側のフランジ部３ｂは、後述するエプロンパンの下側に添接した枠体６の内部６ｂに設け、複数の止め具７、７等を介して固止することで、この他方のチェーンリンク体３が枠体６に固止される。尚、この枠体６にはリブ片６００を、その横断方向Ｂに成形するとともに、このリブ片６００の両端部を切欠いて、切欠部６０１を形成し、この切欠部６０１を利用して、前記一方・他方のチェーンリンク体３を、枠体６に設ける。これにより、各切欠部６０１には、リンクチェーン１が、それぞれ取付けられる構造である。
【００３２】
図中８は全体としては広幅帯状を呈するエプロンパンで、このエプロンパン８は、その進行方向Ａに直交する横断方向Ｂの進行側Ａ１を幅広Ｗで、この進行方向Ａに直交する横断方向Ｂの後退側Ａ２を幅狭Ｈとする構造であり、また、この幅広Ｗの進行側Ａ１には、その両端部８ａ、８ｂ（側面端部８ａ、８ｂ）に至る膨出曲面板部８００を形成するとともに、この幅狭Ｈの後退側Ａ２には、その両端部８ａ、８ｂに至る膨出曲面板部８０１を形成する。さらに、この両膨出曲面板部８００、８０１に連設した、その両端部８ａ、８ｂに至る平板部８０２、８０３を介して、この平板部８０２、８０３の真中には、その両端部８ａ、８ｂに至る膨出山形板部８０４を形成する構成である。そして、この膨出曲面板部８００は、膨出高さが低くＣａ、かつ進行方向Ａの長さは短くＡａ構成するのに対して、この膨出曲面板部８０１は、膨出高さが高くＣｂ、かつ進行方向Ａの長さは長くＡｂ構成する。これによって、図２の如く、膨出曲面板部８００の上に、他のエプロンパン８の膨出曲面板部８０１が重ね葺き（被嵌）される。また、その寸法関係は、幅と膨出高さが、膨出曲面板部８００＜膨出曲面板部８０１の関係となる。
【００３３】
尚、この膨出曲面板部８００と、膨出曲面板部８０１を形成する手段としては、図５と図６の一例があり、プレス金型であって、油圧ベンダーを介して成形する。例えば、下型Ｘと、上型Ｙを利用して、膨出曲面板部８００と、膨出曲面板部８０１の所定箇所を折り曲げ（ノッチも可能である）、この湾曲した膨出部を形成する。また、膨出山形板部８０４は、同じ金型であれば、三箇所を折曲げ形成する。勿論、図示しないが、次のプレス成形も可能である。例えば、油圧ベンダーに各形状の金型をセットし、一度にプレス成形すること、さらに、この膨出曲面板部８００と、膨出曲面板部８０１、並びに膨出山形板部８０４を、ワンプレスで金型成形すること、鋳造成形すること、等も可能である。この油圧ベンダーを介して成形することは一例であり、限定されない。
【００３４】
そして、このエプロンパン８の横断方向Ｂの両端部８ａ、８ｂには、側面視して扇形の側板１０、１０が設けられる。この側板１０は、エプロンパン８の横断方向Ｂの進行側Ａ１を幅広Ｗと、この横断方向Ｂの幅狭Ｈの後退側Ａ２に添って、傾斜状態で、図１を俯瞰視した状態で、末広がりの関係となっている。従って、前記膨出曲面板部８００の上に、他のエプロンパン８の膨出曲面板部８０１が重ね葺きされた状態では、側板１０の幅広Ｗ側には、他の側板１０の幅狭Ｈ側が差込まれる状態となり、この差込み状態で、重量物（搬送品）を搬送しても、この重量物、この重量物に付着する残滓等がこぼれ、かつ落下するはない構造となっている。尚、前記膨出曲面板部８００の上に、他のエプロンパン８の膨出曲面板部８０１が重ね葺きされた状態においても、同様に、重量物、この重量物に付着する残滓等がこぼれ、かつ落下するはない構造となっている。
【００３５】
尚、この側板１０の下面１０ｃは、前記エプロンパン８の側面端部８ａ、８ｂの下面８ｃと、相似形とし、このエプロンパン８を枠体６に取付けることで、このエプロンパン８の下面８ｃと、枠体６の上面６ｃとの間に三角形状の空間９を形成する。この空間９は空気用通路か、緩衝用として機能（緩衝機能）する。従って、例えば、空気用通路は、エプロンパン８、止め具７、又は枠体６の耐熱性（搬送物の熱による）、耐久性、消音性等の向上と、又はこの側板１０とエプロンパン８の溶接箇所の強度確保、耐久性等の向上と、また、例えば、緩衝機能は、エプロンパン８の衝撃性、耐久性、消音性等の向上と、止め具７、又は枠体６の衝撃性、耐久性等の向上に有益である。
【００３６】
次に、図３と、図４に示した、エプロンコンベアの搬送工程の前進、又は後退状態の正面図において、その前進状態（工程）では、搬送手段のフレーム（図示せず）に設けたスプロケットに、このリンクチェーン１のガイドローラ２が懸架されており、このスプロケットの回転で、このリンクチェーン１が進行方向Ａに向かって可動し、エプロンコンベアのエプロンパン８の進行側Ａ１が、図１において、上方に移動する。この進行方向Ａに、エプロンパン８が前進する際に、ガイドローラ２が、フレームに設けた走行レール２０を転動する構造であり、このエプロンパン８を、略水平状態に支持する。そして、このエプロンパン８に載架された重量物を、当該エプロンパン８の剛性と、走行レール２０とガイドローラ２（リンクチェーン１）で支持する構造であり、この際に、エプロンパン８の膨出曲面板部８００と、膨出曲面板部８０１、並びに平板部８０２、８０３と、膨出山形板部８０４で形成される、側面形状の一組の膨出曲面の凸部（膨出曲面板部８００と、膨出曲面板部８０１）と、一組の平部（平板部８０２、８０３）、並びに山部（膨出山形板部８０４）で形成される凹凸形状は、この重量物の荷重と、衝撃に有効に対処できる特徴がある。そして、このエプロンパン８の後退状態（工程）では、この枠体６の両端部６ａ、６ａに突設した連結板１１、１１と、この連結板１１に軸支した軸１３を介して設けた転輪１２、１２で、このエプロンパン８を支持する。即ち、図４の如く、この転輪１２が、前記フレームに設けた後退方向の走行レール２１を転動する構造となっており、このエプロンパン８を裏返して支持する。この支持は、転輪１２を走行レール２１で支持し、この支持が軸１３、連結板１１、並びに枠体６と、リンクチェーン１等による。
【００３７】
尚、以上は、原則として、大型のエプロンコンベアに採用できる大型のエプロンパン８を説明したが、小型のエプロンコンベアに採用できる小型のエプロンパン８を同じ構造で対応できる。
【符号の説明】
【００３８】
１            リンクチェーン
２            ガイドローラ
２ａ          外周面
３            チェーンリンク体
３ａ          フランジ部
３ｂ          フランジ部
３００        一方
３０１        他方
４            軸
６            枠体
６ａ          端部
６ｂ          端部
６ｃ          上面
６００        リブ片
６０１        切欠部
７            止め具
８            エプロンパン
８ａ          端部
８ｂ          端部
８ｃ          下面
８００        膨出曲面板部
８０１        膨出曲面板部
８０２        平板部
８０３        平板部
８０４        膨出山形板部
９            空間
１０          側板
１０ｃ        下面
１１          連結板
１２          転輪
１３          軸
２０          走行レール
２１          走行レール
Ａ            進行方向
Ａ１          進行側
Ａ２          後退側
Ａａ          長さは短く
Ａｂ          長さは長く
Ｂ            横断方向
Ｃａ          膨出高さが低く
Ｃｂ          膨出高さが高く
Ｗ            幅広
Ｈ            幅狭
Ｘ            下型
Ｙ            上型
【図１】
0005629451.tif 000002
【図２】
0005629451.tif 000003
【図３】
0005629451.tif 000004
【図４】
0005629451.tif 000005
【図５−１】
0005629451.tif 000006
【図５−２】
0005629451.tif 000007
【図５−３】
0005629451.tif 000008
【図６】
0005629451.tif 000009